(57)【要約】      （修正有）【課題】サーモスイッチを収める空間、掛かるコスト、及び電線に与えるストレスを必要最小限に抑えることである。【解決手段】サーモスイッチ１の筐体１１に電線ガイド１４を設ける。さらに、電力を供給する複数の端子形状を同一直線状、同一方向に配置する。絶縁部材で構成された筐体部１１、電線を接続し電力を供給するための給電部１２、温度を探知するための感温部１３から成るサーモスイッチ１において、前記筐体部１１に、前記給電部に接続される電線の電線ガイド部１４を設けた。また前記給電部１２を２箇所以上有し、それぞれが同一直線上に配され、且つ、同一の方向から電線を接続できる構成を有していることを特徴としたものである。さらに、前記電線ガイド部１４に、前記感温部１３に対して垂直方向に圧力を加えるための部品を取り付けられる構造を有したことを特徴としたものである。【選択図】図１
2008293784.tif 000002
【特許請求の範囲】
【請求項１】
絶縁部材で構成された筐体部、電線を接続し電力を供給するための給電部、温度を探知するための感温部から成るサーモスイッチにおいて、前記筐体部に、前記給電部に接続される電線の電線ガイド部を設けたことを特徴としたサーモスイッチ。
【請求項２】
請求項１に記載のサーモスイッチにおいて、前記電線ガイド部に、前記感温部に対して垂直方向に圧力を加えるための部品を取り付けられる構造を有していることを特徴としたサーモスイッチ。
【請求項３】
請求項１に記載のサーモスイッチにおいて、前記電線ガイド部は前記筐体部と同一の部材で構成されていることを特徴としたサーモスイッチ。
【請求項４】
絶縁部材で構成された筐体部、電線を接続し電力を供給するための給電部、温度を探知するための感温部から成るサーモスイッチにおいて、前記給電部を２箇所以上有し、それぞれが同一直線上に配され、且つ、同一の方向から電線を接続できる構成を有していることを特徴としたサーモスイッチ。
【請求項５】
請求項４に記載のサーモスイッチにおいて、前記筐体部に、前記給電部に接続される電線の電線ガイド部を設けたことを特徴としたサーモスイッチ。
【請求項６】
請求項５に記載のサーモスイッチにおいて、前記電線ガイド部に、前記感温部に対して垂直方向に圧力を加えるための部品を取り付けられる構造を有したことを特徴としたサーモスイッチ。
【請求項７】
請求項４に記載のサーモスイッチにおいて、前記電線ガイドは前記筐体部と同一の部材で構成されていることを特徴としたサーモスイッチ。
【発明の詳細な説明】
【技術分野】
【０００１】
本発明は、過昇温防止素子として用いられるサーモスイッチに関するものである。
【背景技術】
【０００２】
従来は図６のように、サーモスイッチに給電用の電線を接続した後、さらにこの電線を保持する部材を取り付けて、各種製品に装着していた。
【０００３】
従来例としては、例えば特許文献１をあげることが出来る。
【特許文献１】特開2003-347032号公報
【発明の開示】
【発明が解決しようとする課題】
【０００４】
近年、様々な分野で利用される製品には小型化が要求されてきており、この小型化に対応する為、これらの電気部品を狭い空間に収めることが不可欠になってきている。
【０００５】
また、各製品の本体コストを抑えることも課題の一つとなってきている。
【０００６】
このような背景において、上記従来例では以下に示す問題点があった。
【０００７】
・製品の小型化に影響が出てくる。
【０００８】
・部品点数が増えるとコストにも影響が出てくる。
【０００９】
・接続する電線へ与えるストレスも懸念される。
【００１０】
本発明は、上記問題点を鑑みたものであり、その目的とするところは、サーモスイッチを収める空間、掛かるコスト、及び電線に与えるストレスを必要最小限に抑えることである。
【課題を解決するための手段】
【００１１】
上記目的を達成するために本発明のサーモスイッチでは、絶縁部材で構成された筐体部、電線を接続し電力を供給するための給電部、温度を探知するための感温部から成るサーモスイッチにおいて、前記筐体部に、前記給電部に接続される電線の電線ガイド部を設けたことを特徴としたものである。
【００１２】
また、絶縁部材で構成された筐体部、電線を接続し電力を供給するための給電部、温度を探知するための感温部から成るサーモスイッチにおいて、前記給電部を２箇所以上有し、それぞれが同一直線上に配され、且つ、同一の方向から電線を接続できる構成を有していることを特徴としたものである。
【００１３】
さらに、前記電線ガイド部に、前記感温部に対して垂直方向に圧力を加えるための部品を取り付けられる構造を有したことを特徴としたものである。
【発明の効果】
【００１４】
以上説明したように、本発明によれば、サーモスイッチの筐体部に電線を這い回すための電線ガイド部を設けることにより、電線ガイド部材を別途準備する必要がなくなりコストダウンに繋がるばかりでなく、小型化にすることも可能となる。
【００１５】
また、サーモスイッチの給電部を同一直線上、同一方向に構成することにより、接続される電線へ与えるストレスを軽減出来るばかりでなく、小型化にすることも可能となる。
【発明を実施するための最良の形態】
【００１６】
（第１の実施例）
以下、本発明を適用した実施の形態について図面を参照して説明する。
【００１７】
図１は本発明の第一の実施例を示す斜視図であり、本発明のサーモスイッチ単品の状態を示し、図２は側面図であり、電線を接続し加熱部材に密着させた状態を示した。
【００１８】
図１、図２において、１はサーモスイッチ本体である。１１は筐体部であり、絶縁部材で構成され、この絶縁部材で構成された筐体部の中に、給電部である１２、感温部である１３とを接続する各種部品が組み込まれている。給電部１２は主に電線１６が接続され電力が供給される。加熱部材１００に接触するように配される感温部１３は、任意に定められた温度を検知すると、感温部１３の内部に構成されている素子（ここでは、主にバイメタル）が作動し、給電部から供給される電力を遮断するような構成となっている。
【００１９】
１４は筐体部１１と同一の素材で構成された電線ガイド部であって、給電部である１２に接続された電線を本ガイド部を利用して沿わせるように配線し、図２に示されているＡ方向に電線を片方に集結させる。電線を片方に集結させることは、加熱部材１００へ電力を供給する為の部品を削減することが可能であり、且つ製品として最終的な電線の這い回しを効率良くできるからであり、実際に良く使われている這い回し手法である。１５は電線ガイド部１４に構成した加圧部材取付部である。図面上方より加圧部材（ここでは、バネ（不図示））を取り付け、さらにその上方よりこのバネを圧縮させる方向に力を加えることにより、感温部１３を垂直方向に加圧することが可能であり、異常高温時の電力遮断の応答性に寄与するものである。
【００２０】
（第２の実施例）
図３を用いて、第２の実施例の概念を説明する。第１の実施例との違いは電線ガイド部１４の形状である。第２の実施例では、第１の実施例で用いた電線ガイド部の構成をベースに、より電線を保持し易く外れ難いようにしたものである。
【００２１】
具体的には、図３（ａ）のように電線を１つのガイド部に対して２点で留めるように構成した。
【００２２】
図３（ｂ）はＢ部を拡大し断面にした状態でさらに電線１６を保持させた状態を示した。
【００２３】
電線はガイド部の隙間より挿入する。隙間は電線の外径寸法よりやや小さい寸法とする。
【００２４】
本構成にすることにより、電線をより確実に保持することができる。
【００２５】
（第３の実施例）
図４、図５を用いて、第３の実施例の概念を説明する。第１の実施例との違いは給電部の形状であり、第３の実施例では、同一直線状にある複数の給電部に対して同一の方向から電線を接続できるように構成したものである。
【００２６】
図４、図５において、１７は給電部であり電線１６が接続され電力が供給される。
【００２７】
その他、図１、図２と同一の部材に関しては説明を省略する。
【００２８】
給電部の形状を本第３の実施例に示したように構成することにより、電線に与えるストレスを軽減できる効果も期待できる。
【００２９】
本実施例においては、電線ガイドの形状を第１の実施例と同様の種類で構成したがこの限りではない。
【図面の簡単な説明】
【００３０】
【図１】第１の実施例の構成を示す斜視図
【図２】第１の実施例の構成を示す側面図
【図３】第２の実施例の構成を示す斜視図
【図４】第３の実施例の構成を示す斜視図
【図５】第３の実施例の構成を示す側面図
【図６】従来の構成図
【符号の説明】
【００３１】
１  サーモスイッチ
１１  サーモスイッチの筐体部
１２、１７  サーモスイッチの給電部
１３  感温部
１４  サーモスイッチの筐体部に設けた電線ガイド
【図１】
2008293784.tif 000003
【図２】
2008293784.tif 000004
【図３】
2008293784.tif 000005
【図４】
2008293784.tif 000006
【図５】
2008293784.tif 000007
【図６】
2008293784.tif 000008